(57)【要約】【課題】拡大表示時に表示箇所を移動させた場合に位置の把握を容易に行えるようにでき、視認性を向上できる電子拡大鏡を提供する。【解決手段】撮像部１１は文字等の対象物を撮像し、表示部１７は撮像された対象物の画像を表示する。操作状態判定部１４は、加速度センサ１３で検出された装置本体の加速度に基づいて操作状態を判定する。表示制御部１６は、操作状態判定部１４からの判定信号に基づき、対象物の撮像画像の表示倍率を変更する。ここで、所定値以上の加速度が検出されたとき、高速移動の操作がなされていると判定し、表示倍率を下げた通常表示状態に切り替える。そして、所定時間の経過後、あるいは所定値以下の加速度が検出されたとき、徐々に表示倍率を上げて拡大表示状態に遷移する。【選択図】図１
2010187125.tif 000002
【特許請求の範囲】
【請求項１】
対象物の画像を撮像する撮像部と、
前記撮像部で撮像された画像を表示する表示部と、
装置本体の加速度を検出する加速度検出部と、
前記加速度検出部の検出結果に応じて、前記表示部に表示する画像の表示倍率を変化させるよう制御する制御部と、
を備える電子拡大鏡。
【請求項２】
請求項１に記載の電子拡大鏡であって、
前記制御部は、前記加速度検出部により所定以上の加速度が検出されたとき、前記表示倍率を下げる制御を行う電子拡大鏡。
【請求項３】
請求項２に記載の電子拡大鏡であって、
前記制御部は、前記表示倍率を下げた後、前記加速度検出部により所定以下の加速度が検出されたとき、前記表示倍率を上げる制御を行う電子拡大鏡。
【請求項４】
請求項２に記載の電子拡大鏡であって、
前記制御部は、前記表示倍率を下げた後、所定時間経過後に前記表示倍率を上げる制御を行う電子拡大鏡。
【請求項５】
請求項４に記載の電子拡大鏡であって、
前記制御部は、前記所定以上の加速度が検出された時点から計時開始する電子拡大鏡。
【請求項６】
請求項４に記載の電子拡大鏡であって、
前記制御部は、前記表示倍率を下げた後、所定以下の加速度が検出された時点から計時開始する電子拡大鏡。
【請求項７】
請求項２に記載の電子拡大鏡であって、
前記制御部は、前記表示倍率を下げたときに、前記表示部において直前に表示していた領域をマーキング表示する電子拡大鏡。
【発明の詳細な説明】
【技術分野】
【０００１】
本発明は、携帯端末装置等に搭載され、対象物を電子的に拡大表示する電子拡大鏡に関する。
【背景技術】
【０００２】
レンズを用いた光学的な拡大鏡の代わりに、撮像素子を備える電子カメラで対象物を撮像して液晶表示素子等の表示部に拡大表示することで、小さな文字等を読み取り易くすることができる電子拡大鏡（デジタルルーペなどとも呼ばれる）が提案されている。例えば特許文献１には、カメラ付き携帯電話に一体的に組み込まれた拡大視器具が開示されている。
【０００３】
この種の電子拡大鏡では、拡大表示時において文字を読みながら、一行読み終わった後に次の行に進む場合など、表示箇所を変更するときに、現在位置から移動対象位置までの位置関係を認識するため、全体の位置を把握する必要がある。また、現在どの箇所を読んでいるか表示箇所の位置を見失わないようにするには、対象物の表示箇所を低速移動させて追従可能にする必要があり、所望の箇所を表示するまでに時間がかかるといった課題もある。
【特許文献１】特開２００６−２３８０９４号公報
【発明の開示】
【発明が解決しようとする課題】
【０００４】
従来の電子拡大鏡では、拡大表示時において、文字を一行読み終わった後など表示箇所を変更したいときに、全体の位置を把握することができなかった。このため、表示箇所を素早く変更するよう高速移動させた場合は対象物における位置を見失ってしまうおそれがあり、また、表示箇所の位置を把握した状態で低速移動させた場合は次に見たい位置を表示するまでに時間がかかるといった課題が生じる。
【０００５】
本発明は、上記事情に鑑みてなされたもので、拡大表示時に表示箇所を移動させた場合に位置の把握を容易に行えるようにでき、視認性を向上させることが可能な電子拡大鏡を提供することを目的とする。
【課題を解決するための手段】
【０００６】
本発明は、対象物の画像を撮像する撮像部と、前記撮像部で撮像された画像を表示する表示部と、装置本体の加速度を検出する加速度検出部と、前記加速度検出部の検出結果に応じて、前記表示部に表示する画像の表示倍率を変化させるよう制御する制御部と、を備える電子拡大鏡を提供する。
上記構成により、電子拡大鏡の装置本体を移動させるときに発生する加速度を利用し、加速度の検出結果に応じて画像の表示倍率を変化させることで、拡大表示時に表示箇所を移動させた場合においても表示箇所の位置の把握を容易に行えるようにでき、視認性を向上させることが可能となる。
【０００７】
また、本発明は、上記の電子拡大鏡であって、前記制御部は、前記加速度検出部により所定以上の加速度が検出されたとき、前記表示倍率を下げる制御を行うものを含む。
上記構成により、所定以上の加速度が検出されたときに表示倍率を下げるようにし、例えば拡大表示から表示倍率を下げた通常表示に切り替えることで、対象物の全体や表示箇所の位置の把握を容易に行えるようになる。
【０００８】
また、本発明は、上記の電子拡大鏡であって、前記制御部は、前記表示倍率を下げた後、前記加速度検出部により所定以下の加速度が検出されたとき、前記表示倍率を上げる制御を行うものを含む。
上記構成により、表示倍率を下げた後に所定以下の加速度が検出されたときに表示倍率を上げるようにし、例えば表示倍率を下げた通常表示から徐々に拡大表示に遷移させることで、素早くスムーズに元の状態に大きく表示された対象物を見ることが可能になる。
【０００９】
また、本発明は、上記の電子拡大鏡であって、前記制御部は、前記表示倍率を下げた後、所定時間経過後に前記表示倍率を上げる制御を行うものを含む。
上記構成により、表示倍率を下げた後に所定時間経過後に表示倍率を上げるようにし、例えば表示倍率を下げた通常表示から徐々に拡大表示に遷移させることで、素早くスムーズに元の状態に大きく表示された対象物を見ることが可能になる。
【００１０】
また、本発明は、上記の電子拡大鏡であって、前記制御部は、前記所定以上の加速度が検出された時点から計時開始するものを含む。
また、本発明は、上記の電子拡大鏡であって、前記制御部は、前記表示倍率を下げた後、所定以下の加速度が検出された時点から計時開始するものを含む。
【００１１】
また、本発明は、上記の電子拡大鏡であって、前記制御部は、前記表示倍率を下げたときに、前記表示部において直前に表示していた領域をマーキング表示するものを含む。
上記構成により、表示倍率を変化させたときに直前の表示領域を明確に視認でき、対象物の全体や表示箇所の位置の把握を容易に行えるようになる。
【発明の効果】
【００１２】
本発明によれば、拡大表示時に表示箇所を移動させた場合に位置の把握を容易に行えるようにでき、視認性を向上させることが可能な電子拡大鏡を提供できる。
【発明を実施するための最良の形態】
【００１３】
以下の実施形態では、携帯電話装置、携帯情報端末装置などに代表される携帯端末装置等の携帯電子機器に搭載可能な電子拡大鏡の構成例を示す。本実施形態の電子拡大鏡は、電子拡大鏡機能を持つ携帯端末装置等として構成可能なものである。
【００１４】
本実施形態では、例えば電子拡大鏡を用いて使用者が対象物としての文字を読んでいるときに、拡大表示状態で一行読み終わった後に次の行を読むために行変更を行う際、電子拡大鏡を行末から行頭に移動させることによって一定以上の加速度が発生することに着目する。このように表示箇所を変更する際の装置の移動に伴う加速度を利用して、拡大表示状態で所定値以上の加速度を検出した場合に、表示倍率を元に戻した拡大しない状態、あるいは表示倍率を下げた状態の通常表示を行い、対象物の全体が把握できるように広い領域を表示する。
【００１５】
また、所定値以上の加速度を検出して通常表示を行った場合に、再び拡大表示に遷移するとき、加速度の検出値により現在の操作状態を判断し、徐々に拡大表示に移行するようにして次の表示箇所へのフォーカスをスムーズにする。
【００１６】
なお、本実施形態では、対象物として複数行にわたる文字を撮像して拡大表示する場合を一例として想定し説明するが、対象物はこれに限るものではなく、地図や写真等の画像などでも同様に適用可能である。
【００１７】
（第１の実施形態）
図１は本発明の第１の実施形態に係る電子拡大鏡の構成を示すブロック図である。電子拡大鏡は、撮像部１１、画像処理部１２、加速度センサ１３、操作状態判定部１４、タイマ１５、表示制御部１６、表示部１７を有して構成される。
【００１８】
撮像部１１は、結像レンズとＣＭＯＳ型やＣＣＤ型等の撮像素子とを含んで構成され、被写体を撮像して対象物の撮像画像を取得するものである。画像処理部１２は、撮像部１１から出力される撮像信号に対して各種画像処理を行い、対象物の撮像画像の画像信号を生成する。
【００１９】
加速度センサ１３は、撮像部１１を含む自装置の装置本体の加速度を検出し、加速度検出信号を出力するものである。操作状態判定部１４は、加速度センサ１３で検出された加速度が所定値に対して大きいか、あるいは小さいかを判断し、装置の操作状態を判定する。例えば、検出された加速度が所定値以上の場合は、表示箇所を変更するために装置本体を高速に移動させる操作が行われていると判定する。タイマ１５は、所定状態の場合の時間を計時するもので、操作状態判定部１４により所定値以上の加速度検出が判定された時点からの時間を計時する。また、操作状態判定部１４は、タイマ１５の計時に基づき所定時間が経過したかどうかを判断する。
【００２０】
表示制御部１６は、操作状態判定部１４からの判定信号に基づき、画像処理部１２から出力される画像信号の拡大、縮小等の処理を行い、対象物の撮像画像の表示倍率を変更する。表示部１７は、液晶ディスプレイ等の表示デバイスを有して構成され、表示制御部１６から出力される表示画像信号に基づいて撮像素子１１で撮像した対象物の画像表示を行う。
【００２１】
上記画像処理部１２、操作状態判定部１４、表示制御部１６は、装置全体の動作、及びその制御等の処理を行うためのプロセッサ及びメモリ等から構成され、所定のプログラムに従って動作することで各機能を実現する。ここで、操作状態判定部１４及び表示制御部１６が、加速度の検出結果に応じて表示倍率を変化させる制御部の機能を実現する。
【００２２】
第１の実施形態では、対象物の撮像画像を拡大した拡大表示状態であるときに、所定値以上の加速度を検出した場合に、高速移動の操作がなされていると判定し、表示倍率を下げた通常表示状態に遷移する。そして、所定時間が経過した後、徐々に表示倍率を上げて拡大表示状態に遷移する。
【００２３】
図２は本発明の第１の実施形態における電子拡大鏡の動作を示すフローチャートである。ここでは、表示制御部１６及び操作状態判定部１４の動作を中心に説明する。まず初期状態では、表示制御部１６は入力される撮像画像の表示倍率を変更せずにそのままとし、通常表示状態とする（ステップＳ１１）。そして、表示制御部１６は、拡大表示を機能させるルーペモードであるかを判定し（ステップＳ１２）、ルーペモードで無い場合は処理を終了し、ルーペモードである場合は次の処理に進む。ルーペモードである場合、表示制御部１６は入力される撮像画像の表示倍率を所定倍率まで大きくして拡大表示状態とする（ステップＳ１３）。
【００２４】
次に、操作状態判定部１４は、加速度センサ１３で検出された加速度が所定の閾値ＴＨ１以上かどうかを判断する（ステップＳ１４）。ここで、加速度が閾値ＴＨ１より小さい場合は、高速移動の操作がなされていないと判定し、ステップＳ１３に戻り、拡大表示状態を継続する。また、ステップＳ１４で加速度が閾値ＴＨ１以上である場合は、操作状態判定部１４は高速移動の操作がなされていると判定し、表示制御部１６は入力される撮像画像の表示倍率を所定倍率まで下げるか元の倍率に戻して通常表示状態とする（ステップＳ１５）。閾値ＴＨ１以上の加速度が検出された場合、操作状態判定部１４はタイマ１５の計時を開始させる。なお、タイマ１５の計時開始は、閾値ＴＨ１以上の加速度が検出された時点から開始するのに代えて、表示倍率を下げた後に所定値以下の加速度が検出された時点から計時開始するようにしてもよい。また、拡大表示から通常表示に切り替える際に、表示制御部１６は、直前に拡大表示状態で表示していた領域を枠表示するなどして、表示倍率変更時の表示箇所の位置のマーキング表示を行うようにしてもよい。
【００２５】
そして、操作状態判定部１４は、所定時間Ｔ秒が経過し、かつ加速度が閾値ＴＨ１以下かどうかを判断する（ステップＳ１６）。ここで、所定時間Ｔ秒が経過するまでステップＳ１５に戻って通常表示状態を継続する。また、加速度が閾値ＴＨ１より大きい場合は、高速移動の操作が続いていると判定し、ステップＳ１５に戻り、通常表示状態を継続する。ステップＳ１６で加速度が閾値ＴＨ１以下である場合は、操作状態判定部１４は高速移動の操作が終了したと判定し、表示制御部１６は入力される撮像画像の表示倍率を所定倍率まで徐々に上げて拡大表示状態へと遷移させる（ステップＳ１７）。その後、ステップＳ１２の処理に戻る。
【００２６】
図３は第１の実施形態の動作時における検出加速度と表示倍率との関係を示す動作説明図である。図３では、使用者が文字を１行ずつ読む際に電子拡大鏡を対象文字に沿って動かしたときの時間経過に対する検出加速度、表示倍率の変化の一例を示している。
【００２７】
ルーペモードで拡大表示をしている状態で、行末から次の行頭に行変更を行うために高速移動操作を行うと、所定方向（図示例では文字配列方向に対して逆方向）に大きな加速度が発生する。操作状態判定部１４が閾値ＴＨ１以上の検出加速度を判定すると、表示制御部１６が表示倍率を下げて拡大表示から通常表示に切り替える。その後、操作状態判定部１４が所定時間Ｔ秒の経過と検出加速度が閾値ＴＨ１以下であることを判定すると、表示制御部１６が表示倍率を徐々に上げて拡大表示に遷移させる。
【００２８】
図４は本実施形態の電子拡大鏡による動作時の表示状態の一例を示す動作説明図である。図４では、文字が配置された対象物の横方向（文字配列方向）をＸ方向、縦方向（複数行の行方向）をＹ方向としている。使用者が文字を読むために電子拡大鏡をルーペモードで文字配列に沿ってゆっくり動かした場合は、符号３１、３２、３３のように現在位置周辺の文字を拡大した拡大表示が行われる。符号３３のように行末の位置から、次の行頭に移動させるために高速移動操作を行うと、所定値以上の加速度が検出され、符号３４のように表示倍率を下げた通常表示に切り替わり、全体の把握が容易になる。その後、符号３５、３６と徐々に拡大表示に遷移し、次に注目したい箇所である行頭の位置では拡大した対象物が表示される。このため、使用者は拡大した文字を見ている状態から、良好な視認性及び操作性を保持したまま行末から次の行頭へ移動させ、また拡大した文字を見ることを再開できる。
【００２９】
このように、本実施形態では、拡大表示状態において検出加速度が閾値ＴＨ１以上となった場合に、高速移動操作がなされたと判定して拡大表示から通常表示に戻し、通常表示に切り替えた時点からＴ秒経過後、徐々に拡大表示に遷移させるようにしている。これにより、行変更等の表示箇所を変更する際の高速で移動させる動作を利用し、このときに発生する加速度によって通常表示に切り替え、対象物の全体などの広い領域を表示することができ、使用者は自然に対象物全体や表示箇所の位置を把握することができる。また、所定時間経過後に徐々に拡大表示に遷移させることで、使用者は待ち時間等を感じることなく、自然な感覚で素早くスムーズに元の状態に大きく表示された対象物を見ることができる。したがって、拡大表示状態において表示箇所の位置を見失うことなく高速スクロールなどの高速移動操作を行うことができ、高速移動操作後は元の拡大表示状態に戻るため、良好な視認性及び操作性を得ることが可能となる。
【００３０】
（第２の実施形態）
図５は本発明の第２の実施形態に係る電子拡大鏡の構成を示すブロック図である。第２の実施形態は、前述した第１の実施形態を一部変更した例である。図１に示した第１の実施形態と比較して、タイマを備えておらず、操作状態判定部２４、表示制御部２６の動作が一部異なっている。その他は第１の実施形態と同様であり、説明を省略する。
【００３１】
操作状態判定部２４は、加速度センサ１３で検出された加速度について所定の第１閾値及び第２閾値との大小を判断し、装置の操作状態を判定する。例えば、検出された加速度が第１閾値以上の場合は、表示箇所を変更するために装置本体を高速に移動させる操作が行われていると判定する。また、加速度が第２閾値以下の場合は、装置本体を静止させるかまたは低速に移動させていると判定する。表示制御部２６は、操作状態判定部２４からの判定信号に基づき、画像処理部１２から出力される画像信号の拡大、縮小等の処理を行い、対象物の撮像画像の表示倍率を変更する。
【００３２】
第２の実施形態では、対象物の撮像画像を拡大した拡大表示状態であるときに、所定の第１閾値以上の加速度を検出した場合に、高速移動の操作がなされていると判定し、表示倍率を下げた通常表示状態に遷移する。そして、所定の第２閾値以下の加速度を検出した場合に、徐々に表示倍率を上げて拡大表示状態に遷移する。
【００３３】
図６は本発明の第２の実施形態における電子拡大鏡の動作を示すフローチャートである。ここでは、表示制御部２６及び操作状態判定部２４の動作を中心に説明する。まず初期状態では、表示制御部２６は入力される撮像画像の表示倍率を変更せずにそのままとし、通常表示状態とする（ステップＳ２１）。そして、表示制御部２６は、拡大表示を機能させるルーペモードであるかを判定し（ステップＳ２２）、ルーペモードで無い場合は処理を終了し、ルーペモードである場合は次の処理に進む。ルーペモードである場合、表示制御部２６は入力される撮像画像の表示倍率を所定倍率まで大きくして拡大表示状態とする（ステップＳ２３）。
【００３４】
次に、操作状態判定部２４は、加速度センサ１３で検出された加速度が所定の第１閾値ＴＨ１以上かどうかを判断する（ステップＳ２４）。ここで、加速度が第１閾値ＴＨ１より小さい場合は、高速移動の操作がなされていないと判定し、ステップＳ２３に戻り、拡大表示状態を継続する。また、ステップＳ２４で加速度が第１閾値ＴＨ１以上である場合は、操作状態判定部２４は高速移動の操作がなされていると判定し、表示制御部２６は入力される撮像画像の表示倍率を所定倍率まで下げるか元の倍率に戻して通常表示状態とする（ステップＳ２５）。拡大表示から通常表示に切り替える際に、表示制御部２６は、直前に拡大表示状態で表示していた領域を枠表示するなどして、表示倍率変更時の表示箇所の位置のマーキング表示を行うようにしてもよい。
【００３５】
その後、操作状態判定部２４は、検出された加速度が所定の第２閾値ＴＨ２以下かどうかを判断する（ステップＳ２６）。ここで、加速度が第２閾値ＴＨ２より大きい場合は、高速移動の操作が続いていると判定し、ステップＳ２５に戻り、通常表示状態を継続する。ステップＳ２６で加速度が第２閾値ＴＨ２以下である場合は、操作状態判定部２４は高速移動の操作が終了したと判定し、表示制御部２６は入力される撮像画像の表示倍率を所定倍率まで徐々に上げて拡大表示状態へと遷移させる（ステップＳ２７）。その後、ステップＳ２２の処理に戻る。なお、第２閾値ＴＨ２以下の加速度が検出された時点でタイマによる計時を開始し、検出加速度が第２閾値ＴＨ２以下になってから所定時間経過後に徐々に表示倍率を上げて拡大表示状態へと遷移させるようにしてもよい。
【００３６】
図７は第２の実施形態の動作時における検出加速度と表示倍率との関係を示す動作説明図である。図７では、図３と同様、使用者が文字を１行ずつ読む際に電子拡大鏡を対象文字に沿って動かしたときの時間経過に対する検出加速度、表示倍率の変化の一例を示している。
【００３７】
ルーペモードで拡大表示をしている状態で、行末から次の行頭に行変更を行うために高速移動操作を行うと、所定方向（図示例では文字配列方向に対して逆方向）に大きな加速度が発生する。操作状態判定部２４が第１閾値ＴＨ１以上の検出加速度を判定すると、表示制御部２６が表示倍率を下げて拡大表示から通常表示に切り替える。その後、操作状態判定部２４が検出加速度が第２閾値ＴＨ２以下であることを判定すると、表示制御部２６が表示倍率を徐々に上げて拡大表示に遷移させる。
【００３８】
このように、本実施形態では、拡大表示状態において検出加速度が第１閾値ＴＨ１以上となった場合に、高速移動操作がなされたと判定して拡大表示から通常表示に戻し、その後第２閾値ＴＨ２以下となった場合に、徐々に拡大表示に遷移させるようにしている。これにより、第１の実施形態と同様、拡大表示状態において表示箇所の位置を見失うことなく高速スクロールなどの高速移動操作を行うことができ、高速移動操作後は元の拡大表示状態に戻るため、良好な視認性及び操作性を得ることが可能となる。
【００３９】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。
【００４０】
上述した実施形態では、加速度を検出する際、文字配列方向と逆方向の加速度を検出した場合の例を示したが、文字配列方向と同方向の加速度を検出した場合も同様に行うこともできる。また、加速度の検出は一方向のみではなく、例えば地図や写真等の画像などに対応させる場合は、二次元の面上の任意の方向の加速度を検出して表示倍率を制御することで、同様に実施することが可能である。
【産業上の利用可能性】
【００４１】
本発明は、拡大表示時に表示箇所を移動させた場合に位置の把握を容易に行えるようにでき、視認性を向上させることが可能となる効果を有し、携帯端末装置等に搭載され、対象物を電子的に拡大表示する電子拡大鏡等として有用である。
【図面の簡単な説明】
【００４２】
【図１】本発明の第１の実施形態に係る電子拡大鏡の構成を示すブロック図
【図２】本発明の第１の実施形態における電子拡大鏡の動作を示すフローチャート
【図３】第１の実施形態の動作時における検出加速度と表示倍率との関係を示す動作説明図
【図４】本実施形態の電子拡大鏡による動作時の表示状態の一例を示す動作説明図
【図５】本発明の第２の実施形態に係る電子拡大鏡の構成を示すブロック図
【図６】本発明の第２の実施形態における電子拡大鏡の動作を示すフローチャート
【図７】第２の実施形態の動作時における検出加速度と表示倍率との関係を示す動作説明図
【符号の説明】
【００４３】
１１  撮像部
１２  画像処理部
１３  加速度センサ
１４、２４  操作状態判定部
１５  タイマ
１６、２６  表示制御部
１７  表示部
【図１】
2010187125.tif 000003
【図２】
2010187125.tif 000004
【図３】
2010187125.tif 000005
【図４】
2010187125.tif 000006
【図５】
2010187125.tif 000007
【図６】
2010187125.tif 000008
【図７】
2010187125.tif 000009